(57)【要約】【課題】  余分な部品を追加することなく、ディスクトレイの繰り返し出退動作に伴って発生する摩耗粉の発生によるディスクトレイの外観品位を低下や、オープン時のディスクトレイのがたつきによる動作品位の低下を防止する。【解決手段】  ディスクトレイ２０の出退動作を案内するガイド機構３０と、オープン位置に後退したディスクトレイ２０の２箇所を弾圧してオープン時のディスクトレイのがたつきを抑制する弾圧機構４０とを備えている。第１弾圧箇所Ａと第２弾圧箇所Ｂとを近づけておく。第２弾圧箇所Ｂには、第１弾圧箇所Ａでの第１ばね体４１による弾圧方向に対して反対向きに第２ばね体４５を弾接させる。【選択図】        図１
2009093736.tif 000002
【特許請求の範囲】
【請求項１】
固定側フレームの内側のクローズ位置とその外側のオープン位置との間で出退可能なディスクトレイの上記固定側フレームに対する直線路上での出退動作を案内するガイド機構と、上記オープン位置に後退したディスクトレイの第１及び第２の２箇所を上記直線路に直交する方向にそれぞれ弾圧してオープン時のディスクトレイのがたつきを抑制する弾圧機構とを備え、
上記ガイド機構が、ディスクトレイに具備された溝形部と固定側フレームに具備されて上記溝形部の溝壁面を摺動させる凸部とでなり、上記弾圧機構によって弾圧される上記ディスクトレイの第１弾圧箇所として上記溝形部の溝壁面が選択されていて、その第１弾圧箇所に上記溝壁面を外向きに押圧する第１ばね体が弾接されているものにおいて、
上記弾圧機構によって弾圧される上記ディスクトレイの第２弾圧箇所として、上記ディスクトレイの裏面に形成されて上記直線路に沿って延びるリブの側面が選択されていると共に、その第２弾圧箇所に、上記第１ばね体による弾圧方向に対して反対向きに上記リブの側面を押圧する第２ばね体が弾接されていて、
上記第２弾圧箇所に作用する第２ばね体の力線が、第１弾圧箇所での上記第１ばね体の弾接箇所を支点とするディスクトレイのがたつきによる上記第２弾圧箇所の回転経路に対して４５度以内の範囲に収まるように第１及び第２の各弾圧箇所の位置が選定されていることを特徴とするディスクトレイのオープン時位置決め機構。
【請求項２】
上記ディスクトレイが上記直線路に直交する方向で２区画されていて、そのディスクトレイにおける第１ばね体が弾接している第１弾圧箇所と第２ばね体が弾接している第２弾圧箇所との両方が、上記２区画のうちの一方側の区画に位置し、かつ、第１弾圧箇所と第２弾圧箇所とが上記直線路に沿う方向に位置ずれしている請求項１に記載したディスクトレイのオープン時位置決め機構。
【請求項３】
上記ディスクトレイをクローズ位置とオープン位置との間で出退させるディスクトレイ駆動機構に、ディスクトレイの裏面に形成されて上記直線路に沿って延びるラックと、上記固定側フレームに取り付けられて上記ラックに噛合い可能なピニオンとが含まれていて、上記ラックの平坦な背面がディスクトレイの第２弾圧箇所として選択されている請求項１又は請求項２に記載したディスクトレイのオープン時位置決め機構。
【請求項４】
上記第１ばね体が、固定側フレームに樹脂で一体成形された樹脂ばねでなる請求項１ないし請求項３のいずれか１項に記載したディスクトレイのオープン時位置決め機構。
【請求項５】
上記第２ばね体が金属製の板ばねでなり、その板ばねの上記第２弾圧箇所に対する弾接部が、上記直線路に沿う湾曲形状に形作られている請求項１ないし請求項４のいずれか１項に記載したディスクトレイのオープン時位置決め機構。
【発明の詳細な説明】
【技術分野】
【０００１】
本発明は、ディスクトレイのオープン時位置決め機構、特に、ＤＶＤドライブなどのディスク装置に組み付けられているディスクトレイの繰り返し出退動作に伴う摩耗粉の発生による外観品位の低下を防止したり、ディスクトレイのオープン時のがたつきを抑制してその動作品位を改善したりするための対策が講じられているディスクトレイのオープン時位置決め機構に関する。
【背景技術】
【０００２】
一般的なディスク装置では、ローダシャーシと呼ばれる固定側フレームに出退可能にディスクトレイが装備されていて、記録媒体としてのディスクがそのディスクトレイによって搬入出されるようになっている。そして、ディスクトレイによって固定側フレームの内側に搬入されたディスクに対して光学的な処理（読み書き処理）が行われる。また、ディスクの排出や交換に際して、ディスクトレイが固定側フレームの外側に後退するようになっている。
【０００３】
ところで、固定側フレームの外側に後退しているディスクトレイのオープン位置でのがたつきを抑制することは、ディスクトレイの動作品位を高める上で有益である。そこで、従来より、オープン位置でのディスクトレイのがたつきを抑制するための試みが種々行われている。以下、図４又は図５を参照して従来例を説明する。
【０００４】
図４は固定側フレーム１０に対するディスクトレイ２０の取付構造を概略で示した縦断正面図、図５は従来例によるディスクトレイのオープン時位置決め機構を概略で説明的に示した平面図である。
【０００５】
図４のように、ディスクトレイ２０は、ガイド機構３０の案内作用による直線路での出退動作が可能に固定側フレーム１０に取り付けられていて、固定側フレームの内側のクローズ位置とその外側のオープン位置との間で出退可能である。ガイド機構３０は、ディスクトレイ２０の幅方向両側の縁部２１，２１とそれらの縁部２１，２１の相互間に亘る板状ディスク載置部２２とによってそのディスクトレイ２０の裏面側に形作られている幅広の溝形部２３と、固定側フレーム１０に具備されて上記溝形部２３の溝壁面２４を摺動させる凸部１２とでなり、図例では、凸部１２が溝形部の左右の溝壁面２４，２４に各別に摺動する左右の突起１３，１３に分割されている。
【０００６】
ディスクトレイのオープン時位置決め機構は、図５のように、固定側フレーム１０に対するオープン位置に後退したディスクトレイ２０を、その出退路である上記直線路に直交する方向に弾圧してオープン時のディスクトレイのがたつきを抑制する弾圧機構（後述する）４０を備えている。そして、図５に示した従来例では、弾圧機構によるディスクトレイ２０に対する弾圧箇所として、図中に符号Ａ，Ｂで示した第１及び第２の２箇所が選択されている。
【０００７】
図６は第１弾圧箇所Ａの構造を示した縦断正面図、図７は第２弾圧箇所Ｂの構造を示した縦断正面図である。また、図８は後述する第２ばね体４５の弾接部の形状を説明するために示した図７のＶＩＩＩ矢視拡大図である。
【０００８】
図６のように、第１弾圧箇所Ａには、ディスクトレイ２０に備わっている片側の縁部２１の内面でなる溝壁面２４が選択されていて、その溝壁面２４に固定側フレーム１０に樹脂で一体成形された樹脂ばねでなる第１ばね体４１が弾接して、その第１ばね体４１が溝壁面２４を矢印Ｆ１のように外向きに常時押圧している。これに対し、第２弾圧箇所Ｂには、ディスクトレイ２０に備わっている他側の縁部２１の平坦な外面２５が選択されていて、その外面２５に固定側フレーム（不図示）に取り付けられている第２ばね体４５が弾接して、その第２ばね体４５が縁部２１の外面２５を矢印Ｆ２のように内向きに常時弾圧している。このことから判るように、従来例では第１弾圧箇所Ａでの第１ばね体４１による押圧方向Ｆ１と、第２弾圧箇所Ｂでの第２ばね体４５による押圧方向Ｆ２とは同一の方向になっている。併せて、第１ばね体４１が弾圧している第１弾圧箇所Ａと第２ばね体４５が弾圧している第２弾圧箇所Ｂとは、ディスクトレイ２０の幅方向の一端側と他端側とに振り分けて配置されている。さらに、第１弾圧箇所Ａと第２弾圧箇所Ｂとがディスクトレイ２０の出退路である上記直線路に沿う方向に位置ずれしている。
【０００９】
なお、第２ばね体４５は金属製の板ばねでなり、図８のように板ばねでなる第２ばね体４５の弾接部４６は、ディスクトレイの出退路である上記直線路に沿う湾曲形状に形作られている。
【００１０】
以上説明したように構成されている従来例において、ガイド機構３０を形成している凸部１２と溝壁面２４との間には、ディスクトレイ２０の円滑な出退動作を行わせるのに不可欠な隙間が確保されている。そのため、図５に示したようにディスクトレイ２０がオーフン位置に後退しているときには、上記隙間に起因するがたつきが発生する。そして、そのがたつき幅の大きさはディスクトレイ２０の動作品位に影響を及ぼし、がたつき幅が小さいディスクトレイ２０はそれが大きいディスクトレイ２０よりも動作品位が高いということが云える。
【００１１】
この点に関して、従来例では、上記した第１及び第２の２箇所の弾圧箇所Ａ，Ｂで第１及び第２のばね体４１，４５がディスクトレイ２０を押圧して上記隙間を解消するように作用してディスクトレイ２０のがたつきを抑制しているので、これらの各ばね体４１，４５を有していないものに比べてディスクトレイ２０の動作品位が高くなっている。
【００１２】
一方、ディスクトレイの出退動作中のがたつきを抑えるために、そのディスクトレイの幅方向外側の端面にばねを弾接させておくという提案がなされている（たとえば、特許文献１参照）。また、オープン時にトレイを傾けてがたつきを防止するという提案もなされている（たとえば、特許文献２参照）。さらに、ディスクトレイをクローズしたときの衝撃を緩和する対策についても研究がなされている（たとえば、特許文献３参照）。
【特許文献１】特開平５−２５８４３９号公報
【特許文献２】特開平５−２６６５６３号公報
【特許文献３】実用新案登録第３０９４４９６号公報
【発明の開示】
【発明が解決しようとする課題】
【００１３】
上記した従来例において、第２ばね体４５はディスクトレイ２０の縁部２４の外面２５に常時弾接していて、しかも、その第２ばね体４５は金属製である。そのため、樹脂成形体でなるディスクトレイ２０が繰り返し出退動作されることによって樹脂の摩耗粉が発生し、その摩耗粉が、外部から目に見える場所であるディスクトレイ２０の縁部２４の外面２５などに付着してディスクトレイ２０を汚すことがあるので、摩耗粉によってディスクトレイ２０の外観品位が低下するおそれがあるという問題がある。
【００１４】
また、上記した従来例において、ディスクトレイ２０のオープン位置でのがたつきは、図５に示した第１弾圧箇所Ａでの第１ばね体４１の弾接箇所を支点とするディスクトレイ２０の回転運動として起こる。そして、第１弾圧箇所Ａと第２弾圧箇所Ｂとがディスクトレイ２０の幅方向の一端側と他端側とに振り分けて配置されていて、第１弾圧箇所Ａと第２弾圧箇所Ｂとがディスクトレイ２０の出退路である上記直線路に沿う方向に位置ずれしているので、第１及び第２の各弾圧箇所Ａ，Ｂの相互間距離は、ディスクトレイ２０の幅寸法に見合って比較的長くなっている。このため、図９（Ｂ）に説明的に示したように、第２弾圧箇所Ｂに作用する第２ばね体４５による力線Ｌとディスクトレイ２０のがたつきによる第２弾圧箇所Ｂの回転経路Ｍとの開き角度θ２が広くなり、実際にはその開き角度θ２が８０度程度になって４５度よりも広くなっている。そのため、ディスクトレイ２０のがたつきを抑制するためには、第２弾圧箇所Ｂに対する第２ばね体４５による押圧力を比較的大きくする必要があるということが判明した。しかし、第２ばね体４５による押圧力を増大させると、第２弾圧箇所Ｂと第２ばね体４５との摩擦係数も大きくなるので、それだけ上記した摩耗粉の発生が顕著になるという問題がある。
【００１５】
これらの状況や問題点に対し、上掲の特許文献１によって提案されている技術は、ディスクトレイの出退動作中のがたつきを抑えるための対策に過ぎない。また、上掲の特許文献２によって提案されている技術は、オープン時にトレイを傾けてがたつきを防止するものであるに過ぎないので、トレイが傾くことによる動作品位の低下が懸念される。さらに、特許文献３によって提案されている技術は、ディスクトレイをクローズしたときの衝撃を緩和する対策であるにすぎない。したがって、これらの各特許文献１〜３によって提案されている技術は、上記した従来例で起こり得る状況の改善策や問題点の解決策にはなり得ない。
【００１６】
本発明は以上の状況や問題点に鑑みてなされたものであり、上記した第１弾圧箇所と第２弾圧箇所との相互間の位置関係に工夫を講じることによって、ディスクトレイの繰り返し出退動作に伴って発生する摩耗粉の発生によるディスクトレイの外観品位の低下やオープン時のディスクトレイのがたつきによる動作品位の低下を防止することのできるディスクトレイのオープン時位置決め機構を提供することを目的としている。
【課題を解決するための手段】
【００１７】
本発明に係るディスクトレイのオープン時位置決め機構は、固定側フレームの内側のクローズ位置とその外側のオープン位置との間で出退可能なディスクトレイの上記固定側フレームに対する直線路上での出退動作を案内するガイド機構と、上記オープン位置に後退したディスクトレイの第１及び第２の２箇所を上記直線路に直交する方向にそれぞれ弾圧してオープン時のディスクトレイのがたつきを抑制する弾圧機構とを備えている。また、上記ガイド機構が、ディスクトレイに具備された溝形部と固定側フレームに具備されて上記溝形部の溝壁面を摺動させる凸部とでなり、上記弾圧機構によって弾圧される上記ディスクトレイの第１弾圧箇所として上記溝形部の溝壁面が選択されていて、その第１弾圧箇所に上記溝壁面を外向きに押圧する第１ばね体が弾接されている。
【００１８】
そして、上記弾圧機構によって弾圧される上記ディスクトレイの第２弾圧箇所として、上記ディスクトレイの裏面に形成されて上記直線路に沿って延びるリブの側面が選択されていると共に、その第２弾圧箇所に、上記第１ばね体による弾圧方向に対して反対向きに上記リブの側面を押圧する第２ばね体が弾接されていて、上記第２弾圧箇所に作用する第２ばね体の力線が、第１弾圧箇所での上記第１ばね体の弾接箇所を支点とするディスクトレイのがたつきによる上記第２弾圧箇所の回転経路に対して４５度以内の範囲に収まるように第１及び第２の各弾圧箇所の位置が選定されている。
【００１９】
以上の構成を備えるディスクトレイのオープン時位置決め機構によると、第２ばね体の弾接している第２弾圧箇所として、ディスクトレイの裏面に形成されてディスクトレイの出退路である直線路に沿って延びるリブの側面が選択されていることにより、ディスクトレイの繰り返し出退動作によって樹脂の摩耗粉が発生したとしても、その摩耗粉が外部から目に見えるディスクトレイの外面に付着してディスクトレイを汚すという事態が起こりにくいので、摩耗粉がディスクトレイの外観品位を低下させるおそれは少なくなる。
【００２０】
また、第１弾圧箇所での第１ばね体による弾圧方向と第２弾圧箇所での第２ばね体による弾圧方向とが反対向きになっていて、第２弾圧箇所に作用する第２ばね体の力線が、第１弾圧箇所での第１ばね体の弾接箇所を支点とするディスクトレイのがたつきによる第２弾圧箇所の回転経路に対して４５度以内の範囲に収まるように第１及び第２の各弾圧箇所の位置が選定されているという構成を採用したことにより、第２弾圧箇所に作用する第２ばね体による力線とディスクトレイのがたつきによる第２弾圧箇所の回転経路との開き角度が従来例よりも狭くなっている。そのため、第２弾圧箇所に対する第２ばね体による押圧力をそれほど大きくしなくても、オープン時のディスクトレイのがたつきを抑制してディスクトレイの動作品位を高めることが可能になる。併せて、第２弾圧箇所に対する第２ばね体による押圧力をそれほど大きくする必要がないために、樹脂の摩耗粉の発生も抑制することが可能になる。
【００２１】
本発明では、上記ディスクトレイが上記直線路に直交する方向で２区画されていて、そのディスクトレイにおける第１ばね体が弾接している第１弾圧箇所と第２ばね体が弾接している第２弾圧箇所との両方が、上記２区画のうちの一方側の区画に位置し、かつ、第１弾圧箇所と第２弾圧箇所とが上記直線路に沿う方向に位置ずれしている、という構成を採用することが可能である。この構成を採用することにより、上記したところの、第２弾圧箇所に作用する第２ばね体の力線が、第１弾圧箇所での第１ばね体の弾接箇所を支点とするディスクトレイのがたつきによる第２弾圧箇所の回転経路に対して４５度以内の範囲に収まるように第１及び第２の各弾圧箇所の位置が選定されている、という構成を困難なく容易に採用することができるようになる。
【００２２】
本発明では、上記ディスクトレイをクローズ位置とオープン位置との間で出退させるディスクトレイ駆動機構に、ディスクトレイの裏面に形成されて上記直線路に沿って延びるラックと、上記固定側フレームに取り付けられて上記ラックに噛合い可能なピニオンとが含まれていて、上記ラックの平坦な背面がディスクトレイの第２弾圧箇所として選択されている、という構成を採用することが可能である。これによれば、ディスクトレイに余分なリブを追加することなく第２弾圧箇所を選択することが可能になる。
【００２３】
本発明では、上記第１ばね体が、固定側フレームに樹脂で一体成形された樹脂ばねでなるものであってもよい。また、上記第２ばね体が金属製の板ばねでなり、その板ばねの上記第２弾圧箇所に対する弾接部が、上記直線路に沿う湾曲形状に形作られているものであってもよい。
【発明の効果】
【００２４】
以上のように、本発明に係るディスクトレイのオープン時位置決め機構によれば、第１ばね体が弾接する第１弾圧箇所と第２ばね体が弾接する第２弾圧箇所との相互間の位置関係に工夫を講じるだけで、余分な部品を追加することなく、ディスクトレイの繰り返し出退動作に伴って発生する摩耗粉の発生によるディスクトレイの外観品位の低下が抑制されるだけでなく、オープン時のディスクトレイのがたつきによる動作品位の低下が防止されるようになる。
【発明を実施するための最良の形態】
【００２５】
図１は本発明の実施形態によるディスクトレイのオープン時位置決め機構を概略で説明的に示した平面図である。また、図２は第１弾圧箇所及び第２弾圧箇所の構造を示した縦断正面図、図３は第２ばね体４５を例示した斜視図である。
【００２６】
この実施形態において、ディスクトレイ２０は、図４を参照して説明したものと同様の構成を有するガイド機構３０の案内作用による直線路での出退動作が可能に固定側フレーム１０に取り付けられている。したがって、ディスクトレイ２０は固定側フレーム１０の内側のクローズ位置とその外側のオープン位置（図１に示した位置）との間で出退可能である。
【００２７】
この実施形態において、ディスクトレイ２０のオープン時位置決め機構は、図１のように固定側フレーム１０に対するオープン位置に後退したディスクトレイ２０を、その出退路である直線路に直交する方向に弾圧してオープン時のディスクトレイのがたつきを抑制する弾圧機構４０を備えている。そして、弾圧機構によるディスクトレイ２０に対する弾圧箇所として、図１中に符号Ａ，Ｂで示した第１及び第２の２箇所が選択されている。これら２箇所の弾圧箇所Ａ，Ｂにおいて、第２の弾圧箇所Ｂの位置が図５に示した従来例での第２弾圧箇所Ｂの位置とは相違している。
【００２８】
図２のように、第１弾圧箇所Ａには、図６に示した従来例と同様に、ディスクトレイ２０に備わっている片側の縁部２１の内面でなる溝壁面２４が選択されていて、その溝壁面２４に固定側フレーム１０に樹脂で一体成形された樹脂ばねでなる第１ばね体４１が弾接して、その第１ばね体４１が溝壁面２４を矢印Ｆ１のように外向きに常時押圧している。これに対し、第２弾圧箇所Ｂには、ディスクトレイ２０の裏面に形成されて上記直線路に沿って延びるリブ２６の側面２７が選択されていて、その第２弾圧箇所Ｂに、第１ばね体４１による弾圧方向Ｆ１に対して反対向きにリブ２６の側面２７を押圧する第２ばね体４５が弾接されていて、その第２ばね体４５がリブ２６の側面２７を矢印Ｆ２のように内向きに常時弾圧している。このことから判るように、この実施形態では、第１弾圧箇所Ａでの第１ばね体４１による押圧方向Ｆ１と、第２弾圧箇所Ｂでの第２ばね体４５による押圧方向Ｆ２とは逆向きになっている。
【００２９】
また、図１によって判るように、第１弾圧箇所Ａと第２弾圧箇所Ｂとは、ディスクトレイ２０をその出退路である直線路に直交する方向（ディスクトレイ２０の幅方向）で等分に２区画した場合の一方側の区画に位置している。しかも、第１弾圧箇所Ａと第２弾圧箇所Ｂとが上記直線路に沿う方向に位置ずれしている。具体的には、第１弾圧箇所Ａよりも第２弾圧箇所Ｂが、固定側フレーム１０に対するディスクトレイ２０の進出方向側に位置している。
【００３０】
なお、この実施形態においても、第２ばね体４５は金属製の板ばねでなり、図３のように板ばねでなる第２ばね体４５の弾接部４６は、ディスクトレイ２０の出退路である上記直線路に沿う湾曲形状に形作られている。この第２ばね体４５は、固定側フレーム１０に設置されるのであるけれども、その設置の容易性や第２ばね体４５の組付け工程の簡略化を図るためには、たとえば、第２ばね体４５をディスクトレイ２０の出退動作の駆動限となるモータの取付ビス（不図示）で固定側フレーム１０に取り付けることが有益であり、そうすることによって締結ビスの必要数を増やさなくて済むいう利点がある。図３に示した第２ばね体４５では、モータに重ね合わされてそのモータと共に固定側フレーム１０にビス止めされる取付片４７を一体に具備させてある。
【００３１】
以上説明したように構成されている実施形態によると、第２ばね体４５の弾接している第２弾圧箇所Ｂとして、ディスクトレイ２０の裏面に形成されてディスクトレイ２０の出退路である直線路に沿って延びるリブ２６の側面２７が選択されているので、ディスクトレイ２０の繰り返し出退動作によって樹脂の摩耗粉が発生したとしても、その摩耗粉が外部から目に見えるディスクトレイ２０の外面に付着してディスクトレイ２０を汚すという事態が起こりにくくなる。したがって、摩耗粉がディスクトレイ２０の外観品位を低下させるおそれは少なくなる。そのため、従来例に比べてディスクトレイの外観品位が改善される。
【００３２】
また、ディスクトレイ２０のオープン位置でのがたつきは、図１に示した第１弾圧箇所Ａでの第１ばね体４１の弾接箇所を支点とするディスクトレイ２０の回転運動として起こるけれども、第１弾圧箇所Ａと第２弾圧箇所Ｂとが接近した２箇所に位置していて、第１弾圧箇所Ａと第２弾圧箇所Ｂとがディスクトレイ２０の出退路である直線路に沿う方向に位置ずれしているという構成を採用したことによって、第１及び第２の各弾圧箇所Ａ，Ｂの相互間距離は、ディスクトレイ２０の幅寸法の割に短くなっている。このため、図９（Ａ）に説明的に示したように、第２弾圧箇所Ｂに作用する第２ばね体４５による力線Ｌとディスクトレイ２０のがたつきによる第２弾圧箇所Ｂの回転経路Ｍとの開き角度θ１が、同図（Ｂ）示した従来例の場合よりも狭くなる。実際にはその開き角度θ１が３０度程度になって４５度よりも狭くなっている。そのため、第２弾圧箇所Ｂに対する第２ばね体４５による押圧力を比較的小さくしておいても、ディスクトレイ２０のがたつきが効果的に抑制された。しかも、第２ばね体４５による押圧力を小さくすることにより、第２弾圧箇所Ｂと第２ばね体４５との摩擦係数も小さくなって、それだけ上記した摩耗粉の発生が抑制されるようになった。
【００３３】
この実施形態において、ディスクトレイ２０は、図１のようにその裏面に出退路である直線に沿って延びるラック５１を有し、そのラック５１に、固定側フレーム１０に取り付けられたピニオン５５が噛合い可能な構成になっている。そして、クローズ位置とオープン位置との間でのディスクトレイ２０の出退動作は、ラック５１が回転中のピニオン５５に噛み合う動作を通じて行われる。この実施形態では、この構成を利用して、上記リブ２６を余分に設けることなく、そのリブ２６としてラック５１を活用し、リブ２６の側面２７としてラック５１の背面を転用している。このため、ラック５１の平坦な背面がディスクトレイの第２弾圧箇所Ｂとして選択されている。この構成を採用すると、上記のようにリブ２６をディスクトレイ２０に余分に追加する必要がなくなるという利点がある。
【００３４】
なお、図１〜図９においては、説明の便宜上、同一又は相応する要素に同一符号を付してある。
【図面の簡単な説明】
【００３５】
【図１】本発明の実施形態によるディスクトレイのオープン時位置決め機構を概略で説明的に示した平面図である。
【図２】第１弾圧箇所及び第２弾圧箇所の構造を示した縦断正面図である。
【図３】第２ばね体を例示した斜視図である。
【図４】固定側フレームに対するディスクトレイの取付構造を概略で示した縦断正面図である。
【図５】従来例によるディスクトレイのオープン時位置決め機構を概略で説明的に示した平面図である。
【図６】従来例での第１弾圧箇所の構造を示した縦断正面図である。
【図７】従来例での第２弾圧箇所の構造を示した縦断正面図である。
【図８】従来例での第２ばね体の弾接部の形状を説明するために示した図７のＶＩＩＩ矢視拡大図である。
【図９】（Ａ）は実施形態での第２弾圧箇所に作用する第２ばね体の力線Ｌとディスクトレイのがたつきによる第２弾圧箇所の回転経路との開き角度を示した説明図、（Ｂ）は従来例での同様の場合の力線と回転経路との開き角度を示した説明図である。
【符号の説明】
【００３６】
１０  固定側フレーム
１２  凸部
２０  ディスクトレイ
２３  溝形部
２４  溝壁面
２６  リブ
２７  リブの側面
３０  ガイド機構
４０  弾圧機構
４１  第１ばね体
４５  第２ばね体
４６  板ばね（第２ばね体）の弾接部
５１  ラック
５５  ピニオン
Ａ  第１弾圧箇所
Ｂ  第２弾圧箇所
Ｌ  力線
Ｍ  回転経路
【図１】
2009093736.tif 000003
【図２】
2009093736.tif 000004
【図３】
2009093736.tif 000005
【図４】
2009093736.tif 000006
【図５】
2009093736.tif 000007
【図６】
2009093736.tif 000008
【図７】
2009093736.tif 000009
【図８】
2009093736.tif 000010
【図９】
2009093736.tif 000011